(57)【特許請求の範囲】
【請求項１】
冷却装置の室内機又は室外機のそれぞれと伝送線を介して接続され、前記室内機又は室外機の運転状態を発報する運転監視装置と、この運転監視装置と公衆回線等の伝送路を介して接続され、前記運転監視装置の発報結果に基づいて前記室内機又は室外機の運転状態を監視する遠隔監視端末機と、を備え、前記運転監視装置が、前記室内機又は室外機の運転異常内容を検出する異常検出手段と、この異常検出手段が検出した運転異常内容と過去の運転異常内容とを比較して同一か否かを判別する発報判別手段と、を具備し、前記運転異常内容が同一の時、その異常内容を前記遠隔監視端末機へ発報しないことを特徴とする冷却装置の遠隔監視システム。
【請求項２】
各冷却装置の室内機又は室外機のそれぞれと伝送線を介して接続され、前記各室内機又は室外機の運転状態を発報する監視装置と、この監視装置と公衆回線等の伝送路を介して接続され、前記運転監視装置の発報結果に基づいて前記室内機又は室外機の運転状態を監視する遠隔監視端末機と、を備え、前記監視装置が、前記各室内機又は各室外機の運転異常内容を検出する異常検出手段と、この異常検出手段が検出した運転異常内容と過去の運転異常内容とを比較して同一機の同一内容か否かを判別する発報判別手段と、を具備し、前記運転異常内容が同一機の同一内容の時、前記遠隔監視端末機へ発報しないことを特徴とする冷却装置の遠隔監視システム。
【請求項３】
前記運転監視装置が、前記発報判別手段の判別結果に基づいて、前記同一異常回数が予め設定された異常回数に達しているか否かを判定する検出回数判定手段と、を具備し、前記同一異常回数が予め設定された異常回数に達している時、その異常内容を前記遠隔監視端末機へ発報することを特徴とする請求項１または２のいずれかに記載の冷却装置の遠隔監視システム。
【請求項４】
前記運転監視装置が、時刻を知らせるタイマーと、このタイマーからの時刻および前記発報判定手段の判定結果とに基づいて、前記運転異常内容が過去の異常内容と同一であると判定された時、その同一異常内容の再発時間が予め設定された発報禁止時間内か否かを判定する発報選定手段と、を具備し、前記同一異常内容の再発時間が予め設定された発報禁止時間を越えた時、その同一異常内容を前記遠隔監視端末機へ発報することを特徴とする請求項１または２のいずれかに記載の冷却装置の遠隔監視システム。
【請求項５】
前記運転監視装置が、時刻を知らせるタイマーと、このタイマーからの時刻に基づいて、前記運転異常内容の経過時間が予め設定されたクリア時間を越えたか否かを判定するクリア判定手段と、具備し、前記運転異常内容の経過時間が予め設定されたクリア時間を越えた時、その越えた異常内容を抹消することを特徴とする請求項１から３までのいずれかに記載の冷却装置の遠隔監視システム。
【請求項６】
冷却装置の室内機又は室外機のそれぞれと伝送線を介して接続され、前記室内機又は室外機の運転状態を発報する運転監視装置と、この運転監視装置と公衆回線等の伝送路を介して接続され、前記運転監視装置の発報結果に基づいて前記室内機又は室外機の運転状態を監視する遠隔監視端末機と、を備え、前記運転監視装置が、時刻を知らせるタイマーと、前記室内機又は室外機の運転異常内容を検出する異常検出手段と、この異常検出手段が検出した運転異常内容と過去の運転異常内容とを比較して同一か否かを判別する発報判別手段と、この発報判定手段の判定結果および前記タイマーからの時刻とに基づいて、前記運転異常内容が過去の異常内容と同一であると判定された時、その同一異常内容の再発時間が予め設定された発報禁止時間内か否かを判定する発報選定手段と、前記タイマーからの時刻に基づいて、前記運転異常内容の経過時間が予め設定された前記発報禁止時間より長いクリア時間を越えたか否かを判定するクリア判定手段と、を具備し、前記同一運転異常内容を発報してから、その異常内容を抹消することを特徴とする冷却装置の遠隔監視システム。
【請求項７】
前記運転監視装置が、前記運転異常内容を抹消するクリア手段を具備し、前記運転異常内容を抹消できるようにしたことを特徴とする請求項１から４までのいずれかに記載の冷却装置の遠隔監視システム。
【請求項８】
前記遠隔監視端末機が、前記発報選定手段の予め設定された発報禁止時間を変える手段を具備したことを特徴とする請求項４に記載の冷却装置の遠隔監視システム。
【請求項９】
前記遠隔監視端末機が、前記クリア判定手段の予め設定されたクリア時間を変える手段を具備したことを特徴とする請求項５に記載の冷却装置の遠隔監視システム。
【請求項１０】
前記遠隔監視端末機が複数台設けられ、この複数の遠隔監視端末機のいずれかに前記室内機および室外機の運転状態の異常内容に応じて前記運転監視装置から発報することを特徴とする請求項１から４までのいずれかに記載の冷却装置の遠隔監視システム。
【発明の詳細な説明】
【０００１】
【発明の属する技術分野】
本発明は、空調機又は冷凍機の異常内容を選択して集中監視を行う遠隔監視端末機へ発報する冷却装置の遠隔監視システムに関するものである。
【０００２】
【従来の技術】
図１３は、例えば特開平４−１０６３５９号公報に示された空調機の遠隔監視システムを示す図である。図において、１Ａ〜１Ｃは室内機、２Ａ〜２Ｃは室外機、１９は各室内機、室外機間の制御用信号線、１７Ａ〜１７Ｃ は各々室内機に設けられた室内制御装置、１８Ａ〜１８Ｃは各々室外機２Ａ〜２Ｃ２に設けられた室外制御装置、２１は上記空調機近傍に設置されたローカル監視装置、２０は上記ローカル監視装置２１が空調機の状態を監視するために設けられた検出用信号線、２２はモデム２３とローカル監視装置２１を接続するＲＳ２３２Ｃ等の信号線、２７は遠隔で状態監視を行うリモート監視装置、２６はモデム２５とリモート監視装置２７を接続するＲＳ２３２Ｃ等の信号線、２４は公衆回線である。
【０００３】
次に、この動作について説明する。図１２に示すように、ローカル監視装置２１は室内機１と室外機２間の制御信号線１９上を流れる各種異常信号を運転データである圧縮機吐出温度等と一緒に信号線１９から収集し、その収集データ・信号をモデム２３、公衆回線２４、モデム２５を経由して、リモート監視装置２７へ送信する。それにより、監視装置２７にて運転データ・異常信号等をモニタして、空調機の運転状態を遠隔監視する。
なお、各空調機の室外機と室内機の異常信号は、異常発生毎にリモート監視装置２７へローカル監視装置２１が発報する。
【０００４】
【発明が解決しようとする課題】
このように、従来の冷却装置の遠隔監視システムでは、伝送線上からモニタした運転状態を表すデータ群とともに、空調機の室外機と室内機の異常信号を、異常発生毎に発報するため、特に継続的な異常が発生したときは、回線の伝送量が多くなり、情報処理の負担が大きくなるため、容量の大きい装置を使用しなければいならいという問題があった。
また、自然環境条件等の変化による一時的な異常と、継続的な異常との区分をしていないため、修理サービを必要としない異常までも伝送するという問題があった。
【０００５】
本発明は、このような問題点を解消するためになされたもので、頻発する軽微な異常に対して発報を抑止し、回線の伝送量を少なくして、異常の実態を正確に把握して監視できる経済的で、信頼性の高い冷却装置の遠隔監視システムを得ることを目的とする。
【０００６】
【課題を解決するための手段】
この発明における冷却装置の遠隔監視システムは、冷却装置の室内機又は室外機のそれぞれと伝送線を介して接続され、前記室内機又は室外機の運転状態を発報する運転監視装置と、この運転監視装置と公衆回線等の伝送路を介して接続され、前記運転監視装置の発報結果に基づいて前記室内機又は室外機の運転状態を監視する遠隔監視端末機と、を備え、前記運転監視装置が、前記室内機又は室外機の運転異常内容を検出する異常検出手段と、この異常検出手段が検出した運転異常内容と過去の運転異常内容とを比較して同一か否かを判別する発報判別手段と、を具備し、前記運転異常内容が同一の時、その異常内容を前記遠隔監視端末機へ発報しないものである。
【０００７】
また、各冷却装置の室内機又は室外機のそれぞれと伝送線を介して接続され、前記各室内機又は室外機の運転状態を発報する監視装置と、この監視装置と公衆回線等の伝送路を介して接続され、前記運転監視装置の発報結果に基づいて前記室内機又は室外機の運転状態を監視する遠隔監視端末機と、を備え、前記監視装置が、前記各室内機又は各室外機の運転異常内容を検出する異常検出手段と、この異常検出手段が検出した運転異常内容と過去の運転異常内容とを比較して同一機の同一内容か否かを判別する発報判別手段と、を具備し、前記運転異常内容が同一機の同一内容の時、前記遠隔監視端末機へ発報しないものである。
【０００８】
また、前記運転監視装置が、前記発報判別手段の判別結果に基づいて、前記同一異常回数が予め設定された異常回数に達しているか否かを判定する検出回数判定手段と、を具備し、前記同一異常回数が予め設定された異常回数に達している時、その異常内容を前記遠隔監視端末機へ発報するものである。
【０００９】
また、前記運転監視装置が、時刻を知らせるタイマーと、このタイマーからの時刻および前記発報判定手段の判定結果とに基づいて、前記運転異常内容が過去の異常内容と同一であると判定された時、その同一異常内容の再発時間が予め設定された発報禁止時間内か否かを判定する発報選定手段と、を具備し、前記同一異常内容の再発時間が予め設定された発報禁止時間を越えた時、その同一異常内容を前記遠隔監視端末機へ発報するものである。
【００１０】
また、前記運転監視装置が、時刻を知らせるタイマーと、このタイマーからの時刻に基づいて、前記運転異常内容の経過時間が予め設定されたクリア時間を越えたか否かを判定するクリア判定手段と、具備し、前記運転異常内容の経過時間が予め設定されたクリア時間を越えた時、その越えた異常内容を抹消するものである。
【００１１】
また、冷却装置の室内機又は室外機のそれぞれと伝送線を介して接続され、前記室内機又は室外機の運転状態を発報する運転監視装置と、この運転監視装置と公衆回線等の伝送路を介して接続され、前記運転監視装置の発報結果に基づいて前記室内機又は室外機の運転状態を監視する遠隔監視端末機と、を備え、前記運転監視装置が、時刻を知らせるタイマーと、前記室内機又は室外機の運転異常内容を検出する異常検出手段と、この異常検出手段が検出した運転異常内容と過去の運転異常内容とを比較して同一か否かを判別する発報判別手段と、この発報判定手段の判定結果および前記タイマーからの時刻とに基づいて、前記運転異常内容が過去の異常内容と同一であると判定された時、その同一異常内容の再発時間が予め設定された発報禁止時間内か否かを判定する発報選定手段と、前記タイマーからの時刻に基づいて、前記運転異常内容の経過時間が予め設定された前記発報禁止時間より長いクリア時間を越えたか否かを判定するクリア判定手段と、を具備し、前記同一運転異常内容を発報してから、その異常内容を抹消するものである。
【００１２】
また、前記運転監視装置が、前記運転異常内容を抹消するクリア手段を具備し、前記運転異常内容を抹消できるようにしたものである。
【００１３】
また、前記遠隔監視端末機が、前記発報選定手段の予め設定された発報禁止時間を変える手段を具備したものである。
【００１４】
また、前記遠隔監視端末機が、前記クリア判定手段の予め設定されたクリア時間を変える手段を具備したものである。
【００１５】
また、前記遠隔監視端末機が複数台設けられ、この複数の遠隔監視端末機のいずれかに前記室内機および室外機の運転状態の異常内容に応じて前記運転監視装置から発報するものである。
【００１６】
【発明の実施の形態】
実施の形態１．
図１は、この発明の実施の形態１〜５における遠隔監視システムの構成を示すブロック図である。図において、１Ａ〜１Ｃは各室内機、２Ａ〜２Ｃは各室外機で、伝送線８Ａ〜８Ｅを介してデータの送受を行うことで運転制御を行っている。３は伝送線９によって上記空調機と接続され、それぞれの空調機と通信を行うことができ、またモデム４を介して公衆回線５と接続された空調機の運転状態を監視する監視装置である。
７Ａ〜７Ｎは、それぞれ６Ａ〜６Ｅのモデムにより公衆回線５と接続され、運転監視装置３と通信を行い、得られた情報を表示、編集する遠隔監視端末機である遠隔監視コンピュータ。
なお、室内機、室外機ともにそれぞれ３台としているが台数を制限するものではない。また、遠隔監視端末機台数も制限するもではない。
【００１７】
また、図２は、この実施の形態１における監視装置の内部構成を示すブロック図である。図中の空調機の室内機や室外機の運転状態を出力する運転監視装置３である遠隔監視コントローラは、空調機と通信のためのデータ変換を行う空調機通信手段１２、公衆回線を介して遠隔監視端末機と通信するためのデータ変換を行う公衆回線通信手段１３、後述する記憶手段に記憶された異常内容をクリアするクリア手段１４、および監視装置の制御をつかさどるマイクロコンピュータ１１とで構成されている。
また、マイクロコンピュータ１１は、各空調機の異常を検出する異常検出手段１１ａと、この異常検出手段の検出結果を発報するか、しないかを判定する発報判定手段１１ｄと、この発報判定手段１１ｄの判定結果を遠隔監視端末機７へ発報する発報手段１１ｂと、この発報手段が発報した内容を一時記憶する記憶手段１１ｃと、を具備している。
なお、発報判定手段１１ｄは、記憶手段１１ｃの記憶結果に基づいて、同一機の同一異常内容でないと判断した時には、異常検出手段の検出結果を発報し、同一機の同一異常内容であると判断した時には、発報しない。
【００１８】
次に、運転監視装置の動作について図１、図２、図３を参照して説明する。
なお、図３は、この実施の形態１における異常発報のフローの一例を示した図である。
【００１９】
まず、運転監視装置３が、異常検出手段１１ａにて、自己が監視している各空調機の異常を検出すると（Ｓ１）、この検出結果に基づいて発報判定手段１１ｄが記憶手段１１ｃの記憶結果からその空調機の異常内容を検索する。（Ｓ２）
次に、発報判定手段１１ｄは、この検索結果と検出結果内容とを比較し、同一機の同一異常内容であるかどうかを判断する。（Ｓ３）
もしも、同一機の同一内容でなければ、その異常内容を発報手段１１ｂと記憶手段１１ｃに発報するので、その異常内容は公衆回線等を介して遠隔監視端末機７に送られると共に、記憶手段１１ｃ に記憶される。（Ｓ４）、（Ｓ５）
【００２０】
また、逆に、同一機の同一内容であれば、発報判定手段１１ｄは、その同一機の同一異常内容を発報手段１１ｂと記憶手段１１ｃに発報（出力）しないので、その同一異常内容は公衆回線等を介して遠隔監視端末機７に発報されないと共に、記憶手段１１ｃ に記憶されない。（Ｓ６）
なお、 Ｓ５およびＳ６の処理後はスタートへ戻る。
【００２１】
以上説明したように、一度発報した同一機の同一異常内容を遠隔監視端末機に対して発報しないので、伝送回線の伝送量を少なくして、異常の実態を正確に把握して監視できるため、特に、複数の空気調和機を有するビル等に適した経済的で、信頼性の高い冷却装置の遠隔監視システムが得られる。
【００２２】
また、サービスマンにより、異常が除去された場合には、異常内容クリア手段１４で、記憶手段１１ｃに記憶されている異常内容をクリアできるようにすれば、次に同じ異常が発生したとき、監視装置は遠隔監視端末機へ発報するので、修理が完了したのか、しないのか、またその修理処置が良かったのか、悪かったかをチェックできる使い勝手が良く、信頼性の高い冷却装置の遠隔監視システムが得られる。
【００２３】
実施の形態２．
図４は、この発明の実施の形態２における運転監視装置の構成を示すブロック図で、この図の運転監視装置は、実施の形態１で示した構成の他に、発報手段や、記憶手段１１ｃや、後述する発報選定手段１１ｅ等に時刻を発信するタイマ１５を備え、また、マイクロコンピュータ１１内には、実施の形態１で示した構成の他に、記憶手段内のデータを所定時間毎に書き換えるデータ書換手段１１ｆと、発報判定手段１１ｄにより、記憶手段内に同一機の同一異常が存在したと判定された場合には、さらに前回の発報時刻からの経過時間を調べ、所定時間を経過しているか、いないかを判定し、所定時間を経過している場合にのみ発報を行うように選定する発報選定手段１１ｅが備えられている。
なお、本実施の形態における記憶手段１１ｃには、異常内容の他にタイマ１５から発信さられた発報時刻を記憶している。
【００２４】
次に、この実施の形態２における動作を図５を用いて説明する。
運転監視装置３は、異常検出手段１１ａにて、自己が監視している空調機の異常を検出すると（Ｓ１１）、発報判定手段１１ｄが記憶手段１１ｅの記憶結果からその空調機の異常内容を検索する。（Ｓ１２）
次に、発報判定手段１１ｄは、この検索結果と検出結果内容とを比較し、同一機の同一の異常内容であるかどうかを判断する。（Ｓ１３）
もしも、同一機の同一の内容でなければ、その異常内容を発報手段１１ｂと記憶手段１１ｃに発報するので、その異常内容は発報選定手段１１ｅおよび公衆回線等を介して遠隔監視端末機７に送られると共に、記憶手段１１ｃ に記憶される。（Ｓ１４）（Ｓ１５）
なお、このとき、タイマ１５から発報手段１１ｂおよび記憶手段１１ｃに時刻が発信されているので、発報手段１１ｂはその異常発生時刻も発報することになる。また記憶手段１１ｃは、異常内容と共に、その異常発生時刻を記憶することになる。
【００２５】
また、逆に、同一機の同一の内容であれば、発報判定手段１１ｄは、その異常内容を発報手段１１ｂと記憶手段１１ｃに発報せず、発報選定手段１１ｅに発報する。（Ｓ１６）
この発報により、発報選定手段１１ｅは、記憶手段１１ｃに記憶されいる前回の発報時刻とタイマ１５からの今回の時刻との時刻差を演算し、この演算結果と予め設定された発報禁止時間Ｔ１を比較し、この比較結果で、前回と今回の時刻差（再発時間）が発報禁止設定時間Ｔ１を越えていれば、今回の時刻と異常内容とを発報手段１１ｂおよび書換手段１１ｆに発報する。
従って、発報手段１１ｂは今回の時刻と同じ異常内容を再び遠隔監視端末機７に送る。
また、書換手段１１ｆは記憶手段１１ｃの前回の時刻を今回の時刻に書き換えるので、記憶手段１１ｃは今回の時刻と前回の異常内容が今回の時刻で発生したと記憶する。（Ｓ１７）、（Ｓ１８）
【００２６】
また、前回と今回の時刻差が発報禁止設定時間Ｔ１を越えていなければ、今回の時刻と異常内容を発報手段１１ｂおよび書換手段１１ｆに発報しないので、記憶手段１１ｃには前回の時刻と異常内容が記憶される。（Ｓ１９）
なお、 Ｓ１８およびＳ１９の処理後はスタートへ戻る。
【００２７】
以上に説明したように、一度発報した異常に対して、前回と今回の時刻差（再発時間）が発報禁止設定時間Ｔ１を越えてから発報するようにしたので、気象・環境等の変化（雨、風、雪等）に起因する一時的な異常、例えば、特に室外機設置場所周辺が何らかの気象・環境条件により、温度上昇し、室外機放熱板の放熱性能が悪くなって異常停止し、その後の気象・環境条件の変化により、放熱性能が良くなって自動復帰運転される場合や、運転可能で手動復帰される場合等の異常は、遠隔監視端末機に発報されず、また、継続的な異常に対しては、発報するようになるため、更に発報回数が少なく、一時的な異常と継続的な異常とを正確に区分して監視できる経済的で、信頼性の高い冷却装置の遠隔監視システムが得られる。
【００２８】
なお、発報禁止設定時間Ｔ１を異常の内容毎に設定できるようにすると、空調機の使用状況や異常の内容に応じて可変できるため、使い勝手の良い冷却装置の遠隔監視システムが得られる。
【００２９】
また、発報禁止設定時間Ｔ１を遠隔監視端末７等から任意に設定できるようにすると、現地へ行かなくても空調機の使用状況や異常の内容可変できるため、更に使い勝手の良い冷却装置の遠隔監視システムが得られる。
【００３０】
実施の形態３．
図６は、この発明の実施の形態３における監視装置の構成を示すブロック図で、実施の形態２の構成の発報選定手段の代わりに、記憶手段に記憶された前回発報時刻と今回の発報時刻の差が、予め設定されたクリア時間Ｔ２を経過したかどうかを判定するクリア判定手段１１ｇを設け、更に、このクリア判定手段１１ｇの判定結果に基づいて、前回と今回の発報時刻差が、予め設定されたクリア時間Ｔ２を越えた時に、記憶手段１１ｃに記憶されている内容を自動的にクリアするクリア手段１１ｈを書換手段１１ｆの代わりに備えたものである。
【００３１】
次に、この実施の形態３における動作を図７、図８を用いて説明する。
まず、運転監視装置３が、異常検出手段１１ａにより、自己が監視している各空調機の異常を検出すると（Ｓ２１）、発報判定手段１１ｄが記憶手段１１ｃの記憶結果からその空調機の異常内容を検索する。（Ｓ２２）
次に、発報判定手段１１ｄは、この検索結果と検出結果内容とを比較し、同一機種の同一異常内容であるかどうかを判断する。（Ｓ２３）
もしも、同一機の同一内容でなければ、その異常内容を発報手段１１ｂと記憶手段１１ｃに発報するので、その異常内容は公衆回線等を介して遠隔監視端末機７に送られると共に、記憶手段１１ｃ に記憶される。（Ｓ２４）（Ｓ２５）
なお、このとき、タイマ１５から発報手段１１ｂおよび記憶手段１１ｃに時刻が発信されているので、発報手段１１ｂはその異常発生時刻も遠隔監視端末機７に発報する。また記憶手段１１ｃは、異常内容と共に、その異常発生時刻をも記憶することになる。
【００３２】
また、逆に、同一機の同一内容であれば、発報判定手段１１ｄは、その異常内容と発生時刻とを発報手段１１ｂおよび記憶手段１１ｃに発報しない。（Ｓ２６）
【００３３】
なお、検出手段が検出した記憶手段１１ｃの記憶異常内容の経過時間を、クリア判定手段１１ｇはタイマ１５からの時刻に基づいて所定時間毎に、チェックする。
即ち、クリア判定手段１１ｇは、図８に示す通り、記憶手段１１ｃに記憶されている各空調機の各異常内容毎に、その発報時刻とタイマ１５からの時刻との時刻差（経過時間）を演算し、この演算結果と予め設定されたクリア時間Ｔ２を比較し、この比較結果で、時刻差が設定クリア時間Ｔ２を越えていれば、クリア手段１１ｈに発報する。（Ｓ３１）、（Ｓ３２）
この発報により、クリア手段１１ｈは記憶手段１１ｃに記憶されているその異常内容と発報時刻をクリアする。即ち、予め設定されたクリア時間Ｔ２を越えた異常内容を記憶手段１１ｃから抹消し、スタートへ戻る。（Ｓ３３）
【００３４】
なお、発報時刻からの経過時間（時刻差）が設定クリア時間Ｔ２を越えていなれば、クリア手段１１ｈに発報しないので、記憶手段１１ｃが記憶しているその設定クリア時間Ｔ２を越えていない異常内容と発報時刻はそのまま保存される。
【００３５】
以上説明したように、空調機の異常内容毎の発報後の経過時間が設定クリア時間Ｔ２を越えていれば、その内容を削除するので、ムダな内容を記憶することなく、特に、軽度な一時的異常が重度の異常に変わっても的確に把握して監視できる信頼性の高い冷却装置の遠隔監視システムが得られる。
【００３６】
また、クリア判定手段１１ｇのクリア時間Ｔ２を設定できるようにすると、空調機の使用状況や異常の内容に応じて可変できるため、更に使い勝手の良い冷却装置の遠隔監視システムが得られる。
【００３７】
また、設定クリア時間Ｔ２を遠隔監視端末機７等から任意に設定できるようにすると、据え付け現地に行かなくても空調機の使用状況や異常の内容に応じて可変できるため、更に使い勝手の良い冷却装置の遠隔監視システムが得られる。
【００３８】
実施の形態４．
この実施の形態４においては、実施の形態３で説明したように、実施の形態２の構成の発報選定手段１１ｅの代わりに、記憶手段に記憶された異常を発報してからの経過時間が、予め設定されたクリア時間Ｔ２を経過したかどうかを判定するクリア判定手段１１ｇを設け、更に、このクリア判定手段１１ｇの判定結果に基づいて、発報してからの経過時間が、予め設定されたクリア時間Ｔ２を越えた時に、記憶手段１１ｃに記憶されている内容を自動的にクリアするクリア手段１１ｈを書換手段の代わりに設けるのではなく、実施の形態２の構成に、単に、クリア判定手段１１ｇと、クリア手段１１ｈとを追加するように構成する。
【００３９】
また、その時の動作は、発報判定手段１１ｄが、発報してからの経過時間が発報禁止時間Ｔ１以上でクリア時間Ｔ２以下に設定された判定時間Ｔ３内で、かつその発報内容が同一機の同一内容であると判断した時は、発報判定手段１１ｄが発報選定手段１１ｅに発報して、それ以降の動作は実施の形態２で説明した動作をするようにし、また、発報してからの時間が判定時間Ｔ３を越えた時には、発報判定手段１１ｄがクリア判定手段１１ｇに発報して、それ以降の動作は実施の形態３で説明した動作をするようにする。
なお、その前の動作は実施の形態２で説明しているので、説明を割愛する。
【００４０】
以上説明したように、発報判定手段が、発報してからの時間が判定時間Ｔ３内で、かつその発報内容が同一であると判断した時は、発報選定手段に発報し、判定時間Ｔ３を越えたと判断した時には、クリア判定手段に発報するので、特に、重度の継続異常があった時は、その重度異常を確実に発報してから抹消する信頼性の高い冷却装置の遠隔監視システムが得られる。
【００４１】
なお、上記構成において、単にクリア時間Ｔ２を発報禁止時間Ｔ１より長く設定しておけば、判定時間Ｔ３を設けることなく同様の効果が得られることは、言うまでもない。
【００４２】
実施の形態５．
図９は、本発明の３に相当する実施の形態５における運転監視装置の概略構成を示したもので、本実施の形態５の構成は、記憶手段１１ｃが同一機の同一異常内容とその検出回数を一時記憶し、さらに、この記憶手段の記憶領域から検索したその検出回数が予め設定された回数Ｎに達しているかどうかを判定する検出回数判定手段１１ｉを、実施の形態３の構成に追加したものである。
【００４３】
次に、この実施の形態５における動作を図１０を用いて説明する。異常検出手段１１ａにより、自己が監視している空調機の異常を検出すると（Ｓ４１）、発報判定手段が記憶手段１１ｃの記憶結果からその空調機の異常内容を検索する。（Ｓ４２）
次に、発報判定手段１１ｄは、この検索結果と検出結果内容とを比較し、同一機種の同一異常内容であるかどうかを判定し、同一の内容であれば、記憶手段の書換手段（図示せず）に指示して、記憶手段のその検出回数をインクリメントすると共に、検出回数判定手段１１ｉに判定を指示する。（Ｓ４３）、（Ｓ４４）また、このとき、発報判定手段１１ｄが、同一機種の同一異常内容であるかどうかを判定し、同一の内容でなければ、書換手段に指示して、その空調機の異常内容と検出回数１、並びに異常検出時刻を記憶手段１１ｃに記憶させる。（Ｓ４５）
【００４４】
次に、発報判定手段１１ｄからの指示により、検出回数判定手段１１ｉは、その異常内容の検出回数を記憶手段１１ｃの記憶結果から確認し、この確認検出回数が予め設定された回数Ｎに達していると判断した時は、発報手段１１ｂに指示して、その異常内容を遠隔監視端末機７に発報する。（Ｓ４６）、（Ｓ４７）、（Ｓ４８）
また、この時、検出回数判定手段１１ｉはクリア手段１１ｈに、その異常内容を記憶手段１１ｃから削除するように指示する。（Ｓ４９）
なお、検出回数判定手段１１ｉが、その異常内容の検出回数が予め設定された回数Ｎに達していなかった場合には、発報しない。（Ｓ５０）
【００４５】
以上説明したように、同じ異常が所定回数に達してから遠隔監視端末機へ発報するので、気象条件の変化等により非周期的、突発的に発生する軽度の一時的な異常には発報せず、継続的な異常内容のみ発報するため、更に発報回数が少なく、一時的な異常と継続的な異常とを正確に区分して監視できる経済的で、信頼性の高い冷却装置の遠隔監視システムが得られる。
【００４６】
また、検出回数判定手段が、予め設定された検出回数に達すると、その検出回数に達した異常内容を記憶手段から削除するので、ムダな内容を記憶することなく、記憶手段の容量が軽減された経済的な冷却装置の遠隔監視システムが得られる。
【００４７】
また、この実施の形態５のその他の例として、タイマ１５からの時刻により、検出回数判定手段が、所定時間（予め設定された時間Ｔ４）内に予め設定された検出回数に達した時、その検出回数に達した異常内容を遠隔監視端末機７へ発報するようにすると、一時的な異常と継続的な異常とを所定時間内の検出回数で判断してから発報するため、更に正確に判断して発報する信頼性の高い冷却装置の遠隔監視システムが得られる。
【００４８】
また、この実施の形態５のその他の例として、タイマ１５からの時刻により、発報判定手段１１ｄが、当初の異常を検出してからの経過時間が予め設定された時間Ｔ４を越えたと判断した場合は、図８に示したように、クリア手段１１ｈに指示して記憶手段１１ｃのその異常内容をクリアするようにしても良い。
なお、このようにすると、同じ異常が一定時間内に発生しない時は、その異常内容を記憶手段から削除するので、ムダな内容を記憶することなく、記憶手段の容量が軽減された経済的な冷却装置の遠隔監視システムが得られる。
【００４９】
また、時間Ｔ４、回数Ｎを遠隔監視端末７から任意に設定できるようにすると、据え付け現地に行かなくても空調機の使用状況や異常の内容に応じて可変できるため、更に使い勝手の良い冷却装置の遠隔監視システムが得られる。
【００５０】
実施の形態６．
図１１は、この発明の実施の形態６の構成を示す図で、本実施の形態６のマイクロコンピュータ１１は、各空調機の異常内容を検出する異常検出手段１１ａと、この異常検出手段１１ａの検出結果と発報先指定テーブルの各空調機の異常内容とを比較し、この比較結果に基づいて各遠隔監視端末機のいずれに発報するかを選定する発報先選定手段１１ｊと、この発報先選定手段１１ｊの選定結果に基づいて各遠隔監視端末機のいずれかへ発報する発報手段１１ｂと、を備え、また、実施の形態１のクリア手段１１ｈの代わりにタイマ１５を取り付けた以外の構成は、実施の形態１の構成と同じである。
【００５１】
次に、この動作について説明する。
まず、異常検出手段１１ａがいずれかの空調機の異常内容を検出すると、その異常の内容を発報先指定手段１１ｊに送信する。
次に、発報先指定手段１１ｊは、この送信された空調機の異常内容と、例えば、図１２に示された発報先指定テーブルの各空調機の異常内容とを比較し、この比較結果により各遠隔監視端末機のいずれに発報するかを選定し、この選定結果を発報手段１１ｂに送信する。
次に、発報手段１１ｂは、発報先指定手段１１ｊが選定した遠隔監視端末機に異常検出手段１１ａが検出した空調機の異常内容を送信（発報）する。
なお、発報先指定テーブルの内容は、異常内容の重大・重要性又は発生時刻により、複数の発報先を指定することも、発報先なしと指定すること、即ち、ある異常に関しては発報を行わないように指定することも可能である。
【００５２】
以上説明したように、複数の遠隔監視端末機のいずれかに室内機および室外機の運転状態の異常内容に応じて運転監視装置から発報するので、異常内容の重大・重要性又は発生時刻により、その異常内容に即した遠隔監視端末機に発報されるため、更に迅速なサービスができる使い勝手の良い冷却装置の遠隔監視システムが得られる。
【００５３】
なお、タイマ１５が発報先指定手段１１ｊに時刻を送信するようにすると、発報先指定手段１１ｊは異常検出手段１１ａから送信された異常内容の発生時刻を検出できるので、発報先指定テーブルの内容以外に、発生時刻によっても各遠隔監視端末機のいずれに発報するかを選定できるようになるため、更に使い勝手の良い冷却装置の遠隔監視システムが得られる。
【００５４】
また、実施の形態１から６において、ビル等の各空調機を監視することを想定し、各空調機の異常内容毎についての説明をしたが、事務所や家庭用等の空調機の監視や、冷凍機等の異常監視にも応用できることは、言うまでもない。
【００５５】
また、実施の形態１から６において、前述した主旨で、発報判定手段の発報判定基準として、同一機の同一異常としているが、事務所や、家庭用や、またはビル等の複数設置された空気調和機でも異常内容が修理されなければ、その機種のその異常内容は変わらないのであるから、同一異常内容であるかどうかという条件のみにしてもよい。
【００５６】
なお、同一異常内容であるかどうかという条件にすると、一度発報した同じ異常内容を遠隔監視端末機に対して発報しないので、伝送回線の伝送量を少なくして、異常の実態を正確に把握して監視できる経済的で、信頼性の高い冷却装置の遠隔監視システムが得られる。
【００５７】
【発明の効果】
この発明は、以上のように構成されているので、以下に示すような効果を奏する。
【００５８】
一度発報した同じ異常内容を遠隔監視端末機に対して発報しないので、伝送回線の伝送量を少なくして、異常の実態を正確に把握して監視できる経済的で、信頼性の高い冷却装置の遠隔監視システムが得られる。
【００５９】
また、一度発報した同一機の同一異常内容を遠隔監視端末機に対して発報しないので、伝送回線の伝送量を少なくして、異常の実態を正確に把握して監視できるため、特に、複数の空気調和機を有するビル等に適した経済的で、信頼性の高い冷却装置の遠隔監視システムが得られる。
【００６０】
また、同じ異常が所定回数に達してから遠隔監視端末機へ発報するので、気象条件の変化等により非周期的、突発的に発生する軽度の一時的な異常には発報せず、継続的な異常内容のみ発報するため、更に発報回数が少なく、一時的な異常と継続的な異常とを正確に区分して監視できる経済的で、信頼性の高い冷却装置の遠隔監視システムが得られる。
【００６１】
また、一度発報した異常に対して、前回と今回の時刻差（再発時間）が発報禁止設定時間Ｔ１を越えてから発報するようにしたので、気象・環境等の変化（雨、風、雪等）に起因する一時的な異常、例えば、特に室外機設置場所周辺が何らかの気象・環境条件により、温度上昇し、室外機放熱板の放熱性能が悪くなって異常停止し、その後の気象・環境条件の変化により、放熱性能が良くなって自動復帰運転される場合や、運転可能で手動復帰される場合等の異常は、遠隔監視端末機に発報されず、また、継続的な異常に対しては、発報するようになるため、更に発報回数が少なく、一時的な異常と継続的な異常とを正確に区分して監視できる経済的で、信頼性の高い冷却装置の遠隔監視システムが得られる。
【００６２】
また、空調機の異常内容毎の発報後の経過時間が設定クリア時間Ｔ２を越えていれば、その内容を削除するので、ムダな内容を記憶することなく、特に、軽度な一時的異常が重度の異常に変わっても的確に把握して監視できる信頼性の高い冷却装置の遠隔監視システムが得られる。
【００６３】
また、クリア時間Ｔ２を発報禁止時間Ｔ１より長く設定しているので、特に、重度の継続異常があった時は、その重度異常を確実に発報してから抹消する信頼性の高い冷却装置の遠隔監視システムが得られる。
【００６４】
また、異常内容を抹消するクリア手段を設けたので、特にサービスマンにより、異常がクリアされ、異常内容が抹消されると、次に同じ異常が発生しても確実に発報するため、その異常修理が完了したのか、しないのか、またその修理処置が良かったのか、悪かったかをチェックできる使い勝手が良く、信頼性の高い冷却装置の遠隔監視システムが得られる。
【００６５】
また、設定クリア時間Ｔ２を遠隔監視端末機等から任意に設定できる手段を向けたので、据え付け現地に行かなくても空調機の使用状況や異常の内容に応じて可変できるため、更に使い勝手の良い冷却装置の遠隔監視システムが得られる。
【００６６】
また、クリア判定手段１１ｇのクリア時間Ｔ２を設定できるようにすると、空調機の使用状況や異常の内容に応じて可変できるため、更に使い勝手の良い冷却装置の遠隔監視システムが得られる。
【００６７】
また、複数の遠隔監視端末機のいずれかに室内機および室外機の運転状態の異常内容に応じて運転監視装置から発報するので、異常内容の重大・重要性又は発生時刻により、その異常内容に即した遠隔監視端末機に発報されるため、更に迅速なサービスができる使い勝手の良い冷却装置の遠隔監視システムが得られる。
【図面の簡単な説明】
【図１】  本発明のシステム構成を示すブロック図
【図２】  監視装置の構成を示すブロック図
【図３】  この発明の異常検出から発報までのフローを示す図
【図４】  この発明の実施形態１における監視装置のブロック図
【図５】  この発明の実施形態２における異常検出から発報までのフローを示す図
【図６】  この発明の実施形態３における監視装置のブロック図
【図７】  この発明の実施形態３における異常検出から発報までのフローを示す図
【図８】  この発明の実施形態３および４における一時記憶した異常内容を記憶手段から削除するフローを示す図
【図９】  この発明の実施形態５における監視装置のブロック図
【図１０】  この発明の実施形態５における異常検出から発報までのフローを示す図
【図１１】  この発明の実施形態６における監視装置のブロック図
【図１２】  この発明の実施形態６における発報先指定手段の構造の一例を示す図
【図１３】  従来の遠隔監視システムを表す構成図
【符号の説明】
１Ａ〜１Ｃ  室内機、  ２Ａ〜２Ｃ  室外機、  ３  監視装置、  ４  モデム、    ５  公衆回線、  ６Ａ〜６Ｎ  モデム、  ７Ａ〜７Ｎ  遠隔監視端末、  ８ａ〜８ｅ  制御用伝送線、  ９  空調機システムと監視装置の伝送線  、  １１  マイクロコンピュータ、  １１ａ  異常検出手段、  １１ｂ  発報手段、  １１ｃ  記憶手段、  １１ｄ  発報判定手段、  １１ｅ  発報選定手段  、  １１ｆ  書換手段、  １１ｇ  クリア判定手段、  １１ｈ  クリア手段、  １１ｉ検出回数判定手段，  １１ｊ発報先指定手段、  １２  空調機との通信手段、  １３  公衆回線との通信手段、  １５  タイマ
【図１】
0003757504.tif 000002
【図２】
0003757504.tif 000003
【図３】
0003757504.tif 000004
【図４】
0003757504.tif 000005
【図５】
0003757504.tif 000006
【図６】
0003757504.tif 000007
【図７】
0003757504.tif 000008
【図８】
0003757504.tif 000009
【図９】
0003757504.tif 000010
【図１０】
0003757504.tif 000011
【図１１】
0003757504.tif 000012
【図１２】
0003757504.tif 000013
【図１３】
0003757504.tif 000014